(57)【要約】【課題】より精度良く異常の太陽電池モジュールを検出することができる太陽電池モジュールの異常検出装置を提供することである。【解決手段】複数の太陽電池モジュール１４ａ〜１４ｃの中で異常太陽電池モジュールを検出する太陽電池モジュールの異常検出装置１０であって、各太陽電池モジュール１４ａ〜１４ｃの発電出力電圧Ｖｐをそれぞれ対応する定格出力電圧Ｖｓで除算して各太陽電池モジュール１４ａ〜１４ｃの発電割合Ｒを求める発電割合算出処理部２０と、各発電割合のうち最も小さい割合の最小発電割合Ｒｍｉｎ、及び最小発電割合Ｒｍｉｎの値を除いた残りの発電割合の平均値Ｒａｖｅの差が所定の閾値Ｒｔｈ以上となるときに最小発電割合Ｒｍｉｎに対応する太陽電池モジュールを異常太陽電池モジュールと断定する異常判断処理部２２と、を備える。【選択図】図１
2015019445.tif 000002
【特許請求の範囲】
【請求項１】
複数の太陽電池モジュールの中で異常太陽電池モジュールを検出する太陽電池モジュールの異常検出装置であって、
前記各太陽電池モジュールの発電出力電圧をそれぞれ対応する定格出力電圧で除算して各太陽電池モジュールの発電割合を求める発電割合算出処理部と、
前記各発電割合のうち最も小さい割合の最小発電割合、及び前記最小発電割合の値を除いた残りの発電割合の平均値の差が所定の閾値以上となるときに前記最小発電割合に対応する太陽電池モジュールを異常太陽電池モジュールと断定する異常判断処理部と、
を備えることを特徴とする太陽電池モジュールの異常検出装置。
【請求項２】
請求項１に記載の太陽電池モジュールの異常検出装置であって、
前記異常判断処理部は、
前記最小発電割合と前記平均値との差が所定の時間継続して前記閾値以上となっているときに前記異常太陽電池モジュールの断定を行うことを特徴とする太陽電池モジュールの異常検出装置。
【発明の詳細な説明】
【技術分野】
【０００１】
本発明は、太陽電池モジュールの異常検出装置に係り、特に、複数の太陽電池モジュールの中で異常太陽電池モジュールを検出する太陽電池モジュールの異常検出装置に関する。
【背景技術】
【０００２】
太陽光発電システムでは、複数の太陽電池モジュールが接続されて構成されている。太陽電池モジュールは、経年劣化や物理的損傷等により、急激に発電出力が低下することがある。このように異常となった太陽電池モジュールは、発電に寄与しないため、早期に発見されて交換されることが望まれる。
【０００３】
本発明に関連する技術として、例えば、特許文献１には、太陽電池モジュール毎の発電出力を比較することにより異常モジュールを検出する構成が開示されている。ここでは、各太陽電池モジュールの発電出力の平均値を算出し、例えば、平均値より２０％低下した太陽電池モジュールを異常とみなすことが述べられている。
【先行技術文献】
【特許文献】
【０００４】
【特許文献１】特許第２８７４１５６号公報
【発明の概要】
【発明が解決しようとする課題】
【０００５】
上記特許文献１の構成によれば、全ての太陽電池モジュールの発電出力の平均値を算出する。このため、異常な太陽電池モジュールの発電出力が平均値に大きく影響する。この結果、各太陽電池モジュールの発電出力と平均値との差の関係が大幅に変化して、例えば、異常を正常と判断する等の誤判断につながる虞がある。
【０００６】
本発明の目的は、より精度良く異常の太陽電池モジュールを検出することができる太陽電池モジュールの異常検出装置を提供することである。
【課題を解決するための手段】
【０００７】
本発明に係る太陽電池モジュールの異常検出装置は、複数の太陽電池モジュールの中で異常太陽電池モジュールを検出する太陽電池モジュールの異常検出装置であって、前記各太陽電池モジュールの発電出力電圧をそれぞれ対応する定格出力電圧で除算して各太陽電池モジュールの発電割合を求める発電割合算出処理部と、前記各発電割合のうち最も小さい割合の最小発電割合、及び前記最小発電割合の値を除いた残りの発電割合の平均値の差が所定の閾値以上となるときに前記最小発電割合に対応する太陽電池モジュールを異常太陽電池モジュールと断定する異常判断処理部と、を備えることを特徴とする。
【０００８】
また、本発明に係る太陽電池モジュールの異常検出装置であって、前記異常判断処理部は、前記最小発電割合と前記平均値との差が所定の時間継続して前記閾値以上となっているときに前記異常太陽電池モジュールの断定を行うことが好ましい。
【発明の効果】
【０００９】
本発明によれば、各太陽電池モジュールの発電割合のうち、最も小さい割合の最小発電割合の値を除いた残りの発電割合の平均値を用いて異常の検出を行っている。これにより、平均値は最小発電割合の値に影響されることがない。したがって、より精度良く異常の太陽電池モジュールを検出することができる。
【図面の簡単な説明】
【００１０】
【図１】本発明に係る実施の形態における太陽光発電システムの構成図である。
【図２】本発明に係る実施の形態において、太陽電池モジュールの異常を検出する手順を示すフローチャートである。
【図３】従来技術の異常検出装置と本発明に係る実施の形態の異常検出装置との比較結果を示す図である。
【発明を実施するための形態】
【００１１】
以下に図面を用いて本発明に係る実施の形態につき、詳細に説明する。また、以下では、全ての図面において対応する要素には同一の符号を付し、重複する説明を省略する。
【００１２】
図１は、異常検出装置１０を備える太陽光発電システム１２の構成図である。太陽光発電システム１２は、複数の太陽電池モジュール１４ａ〜１４ｃを備えている。太陽電池モジュール１４ａ〜１４ｃによって発電された出力電圧は、ＤＣ−ＡＣ変換器１６に供給される。ＤＣ−ＡＣ変換器１６は、太陽電池モジュール１４ａ〜１４ｃからの直流電圧を交流電圧に変換し、その出力交流電圧を負荷１８に供給する。なお、以下では、複数の太陽電池モジュール１４の数は、３個であるとして説明するが、３個以外であってもよい。
【００１３】
太陽電池モジュール１４ａ〜１４ｃは、太陽光発電システム１２が設置される施設の屋上等に並べて取り付けられ、好適な発電出力電圧Ｖｐが出力されるように、太陽光の入射角度等の動作環境の条件を考慮して配置される。太陽電池モジュール１４ａ〜１４ｃは、天候が良い等の最適な動作環境の条件下で発電された出力電圧を定格出力電圧Ｖｓとして予め算出されている。
【００１４】
太陽電池モジュール１４ａ〜１４ｃの出力端子には、それぞれ電圧計１９が接続されている。各電圧計１９によって計測された電圧値は、異常検出装置１０の発電割合算出処理部２０に伝送される。
【００１５】
発電割合算出処理部２０は、電圧計１９によって計測された太陽電池モジュール１４ａ〜１４ｃの発電出力電圧Ｖｐをそれぞれ対応する定格出力電圧Ｖｓで除算して各太陽電池モジュールの発電割合Ｒを求める。ここで、太陽電池モジュール１４ａ〜１４ｃが最適な動作条件下で発電した場合には、定格出力電圧Ｖｓと同じ電圧が出力されるため、発電割合Ｒが１００％となる。また、各太陽電池モジュール１４ａ〜１４ｃが故障している場合には、発電出力が低下し、最悪の場合、全く発電されていないことがある。この場合の発電出力電圧Ｖｐは０Ｖとなるため、発電割合Ｒが０％となる。
【００１６】
異常検出装置１０の異常判断処理部２２は、各発電割合Ｒのうち最も小さい割合の最小発電割合Ｒｍｉｎと、最小発電割合Ｒｍｉｎの値を除いた残りの発電割合Ｒの平均値Ｒａｖｅとの差が所定の時間継続して閾値Ｒｔｈ以上となるときに最小発電割合Ｒｍｉｎに対応する太陽電池モジュール１４ａ〜１４ｃを異常太陽電池モジュールと断定する機能を有する。
【００１７】
続いて、上記構成の太陽電池モジュール１４ａ〜１４ｃの異常検出装置１０の動作について説明する。図２は、異常検出装置１０が太陽電池モジュール１４ａ〜１４ｃの異常を検出する手順を示すフローチャートである。
【００１８】
最初に、太陽電池モジュール１４ａ〜１４ｃの発電割合Ｒを算出する（Ｓ２）。この工程は、発電割合算出処理部２０の機能によって実行される。
【００１９】
次に、Ｓ２の工程によって求められた各発電割合Ｒのうち、最も小さい割合の最小発電割合Ｒｍｉｎを除いた残りの発電割合で平均値Ｒａｖｅを求める（Ｓ４）。この工程は、異常判断処理部２２の機能によって実行される。
【００２０】
次いで、平均値Ｒａｖｅと最小発電割合Ｒｍｉｎとの差が閾値Ｒｔｈ以上となるか否かを判断する（Ｓ６）。この工程は、異常判断処理部２２の機能によって実行される。Ｓ６の工程で、平均値Ｒａｖｅと最小発電割合Ｒｍｉｎとの差が閾値Ｒｔｈ以上でないと判断された場合には、再び、Ｓ２の工程へと戻る。
【００２１】
Ｓ６の工程で、平均値Ｒａｖｅと最小発電割合Ｒｍｉｎとの差が閾値Ｒｔｈ以上であると判断されれば、閾値Ｒｔｈ以上との判断が所定の時間継続したか否かを判断する（Ｓ８）。この工程は、異常判断処理部２２の機能によって実行される。Ｓ８の工程において、所定の時間経過していないと判断された場合には、再びＳ６の工程へと戻る。
【００２２】
Ｓ８の工程において、閾値Ｒｔｈ以上との判断が所定の時間継続したと判断したときは、最小発電割合Ｒｍｉｎに対応する太陽電池モジュール１４ａ〜１４ｃを異常太陽電池モジュールとして断定し、図示しない監視センタに通報する（Ｓ１０）。この工程は、異常判断処理部２２の機能によって実行される。これにより、太陽電池モジュール１４ａ〜１４ｃの異常が発見されるため、保守作業員は、迅速に取り換え対応等を行うことができるという利点がある。
【００２３】
次に、従来技術の異常検出装置と本発明の実施形態の異常検出装置１０の両方で太陽電池モジュール１４ａ〜１４ｃの異常を検出した場合について比較検討する。従来技術の異常検出装置は、全ての太陽電池モジュール１４の発電割合Ｒの平均値Ｒａｖｅを求め、各発電割合Ｒと平均値Ｒａｖｅの差が所定の閾値Ｒｔｈ以上となる太陽電池モジュール１４ａ〜１４ｃを異常と断定する。以下では、従来技術の異常検出装置及び本発明の実施形態の異常検出装置１０の閾値Ｒｔｈは、２５％として説明する。
【００２４】
最初に、従来技術の異常検出装置について述べる。図３（ａ）に示されるように、太陽電池モジュール１４ａ〜１４ｃにおいて、正常な太陽電池モジュール１４ａ，１４ｂの発電割合Ｒが７５％であり、異常な太陽電池モジュール１４ｃの発電割合Ｒが４５％である場合について検討する。このとき、従来技術の異常検出装置では、平均値Ｒａｖｅの値が６５％となり、各太陽電池モジュール１４ａ〜１４ｃの発電割合Ｒと平均値Ｒａｖｅとの差を求めると、図３（ａ）に示されるように、１０％、１０％、２０％となる。この結果、太陽電池モジュール１４ｃにおいても閾値Ｒｔｈが２５％以上とならないため、太陽電池モジュール１４ｃを正常と誤判断される可能性がある。したがって、異常な太陽電池モジュール１４ｃを検出するためには、例えば、所定の閾値Ｒｔｈを１５％に設定する必要がある。
【００２５】
また、図３（ｂ）に示されるように、太陽電池モジュール１４ａ〜１４ｃにおいて、正常な太陽電池モジュール１４ａ，１４ｂの発電割合Ｒが７５％であり、異常な太陽電池モジュールの発電割合Ｒが０％である場合について検討する。このとき、従来技術の異常検出装置では、平均値Ｒａｖｅの値が５０％となり、太陽電池モジュール１４ａ〜１４ｃの発電割合Ｒとの差を求めると、図３（ｂ）に示されるように、２５％、２５％、５０％となる。この場合、上述したように、仮に所定の閾値Ｒｔｈを２５％から１５％に変更すると、今度は、全ての太陽電池モジュール１４ａ〜１４ｃが閾値Ｒｔｈ以上となって全てが異常と誤判断される可能性がある。すなわち、従来技術では、平均値Ｒａｖｅが最小発電割合Ｒｍｉｎの値に大きく影響されて、各発電割合Ｒと平均値Ｒａｖｅとの差が正常と異常との間で狭くなり、閾値Ｒｔｈの設定が困難である。このため、精度良く異常の検出を行うことが難しい。
【００２６】
続いて、本発明の実施形態の異常検出装置１０において、上記と同様の事例について検討する。図３（ａ）の例では、平均値Ｒａｖｅの値が７５％となり、各太陽電池モジュール１４の発電割合Ｒとの差を求めると、図３（ａ）に示されるように、０％、０％、３０％となる。したがって、閾値Ｒｔｈ（２５％）を超えている太陽電池モジュール１４ｃが異常であると断定できる。
【００２７】
図３（ｂ）の例でも、平均値Ｒａｖｅの値に変化はなく、各太陽電池モジュール１４の発電割合Ｒとの差を求めると、図３（ａ）に示されるように、０％、０％、７５％となる。したがって、閾値Ｒｔｈ（２５％）を超えている太陽電池モジュール１４ｃが異常であると断定できる。
【００２８】
上記のように、異常検出装置１０では、各発電割合Ｒのうち、最小発電割合Ｒｍｉｎの値を除いた残りの発電割合の平均値Ｒａｖｅを用いて異常の検出を行っている。このため、平均値Ｒａｖｅは最小発電割合Ｒｍｉｎの値に影響されることがない。これにより、従来技術に比べると、発電割合Ｒと平均値Ｒａｖｅとの差が正常と異常との間で広くなり、閾値Ｒｔｈの設定が容易である。したがって、より精度良く異常の太陽電池モジュールを検出することができる。
【符号の説明】
【００２９】
１０  異常検出装置、１２  太陽光発電システム、１４ａ，１４ｂ，１４ｃ  太陽電池モジュール、１６  ＡＣ−ＤＣ変換器、１８  負荷、１９  電圧計、２０  発電割合算出処理部、２２  異常判断処理部。
【図１】
2015019445.tif 000003
【図２】
2015019445.tif 000004
【図３】
2015019445.tif 000005